(57)【要約】【課題】本発明はバスポートに挿入される付属装置が他連結ポートと干渉を起こさずに連結される接続装置に関するものである。【解決手段】本発明は付属装置１２が実装される空間が形成される本体部１０の側面隅に隣接形成され、その中心に対して垂直に突出するヒンジ軸１６を有するヒンジ部１４；コンピュータ装置のバスポートに挿入されるコネクタ３２；前記ヒンジ軸１６に挿入される円筒形フレーム２２の一側から前記本体部１０と同平面内に延びるガイド軸２０の一部の外周面周縁に形成される凹溝２６；一側終端内部に前記ガイド軸２０の凹溝２６に嵌合される突起部３４が形成され、他側終端には前記コネクタ３２が装着される連結部３０；前記ガイド軸２０及び連結部３０の位置を固定できるよう前記ヒンジ軸１６及び前記ガイド軸２０に密着して前記フレーム２２及び前記連結部３０内に位置する弾性手段を含むバスポート接続装置を提供する。【選択図】　　　図２
2004063440.tif 000002
【特許請求の範囲】
【請求項１】
コンピュータ装置のバスポートに付属装置を連結するバスポート接続装置において、
上部面及び下部面を有し、内部に前記付属装置が実装され得る空間が形成される本体部と、
前記本体部の側面隅に隣接形成され、前記側面隅の中心に対して垂直に突出するヒンジ軸を有するヒンジ部と、
前記付属装置と電気的に連結され、前記コンピュータ装置のバスポートに挿入されるコネクタと、
前記ヒンジ軸に挿入される円筒形のフレームと、
前記フレームの一側から前記本体部と同平面内に延びるガイド軸と、
前記ガイド軸の一部の外周面周縁に形成される凹溝と、
一側終端内部に前記ガイド軸の凹溝に嵌合される突起部が形成され、他側終端には前記コネクタが装着される連結部と、
前記ガイド軸及び連結部の位置を固定できるよう前記ヒンジ軸及び前記ガイド軸に密着して前記フレーム及び前記連結部内に位置する弾性手段と、
を含むことを特徴とするバスポート接続装置。
【請求項２】
前記ヒンジ軸及びガイド軸の一部分は少なくとも四つ以上の角を有する多角柱形状であることを特徴とする請求項１に記載のバスポート接続装置。
【請求項３】
前記弾性手段はＵ字形のスプリングであることを特徴とする請求項１に記載のバスポート接続装置。
【請求項４】
前記ガイド軸のフレームは内側に突出した円形突出部を設け、前記円形突出部の上部は前記スプリングの両終端が位置され得るよう切欠され、前記円形突出部は前記スプリングが四角柱状の前記ヒンジ軸の対角線の長さほど伸ばされるよう切欠されることを特徴とする請求項１に記載のバスポート接続装置。
【請求項５】
前記ガイド軸は内部に前記コネクタと前記付属装置とを連結する電線が通過され得る貫通孔を形成し、前記フレームはガイド軸の反対側が開放されることを特徴とする請求項１に記載のバスポート接続装置。
【請求項６】
一側面に前記電線が通過され得るよう下部の開放された穴が形成され、前記フレームを囲繞する円筒形のガイドカバーをさらに含むことを特徴とする請求項１に記載のバスポート接続装置。
【請求項７】
前記ガイド軸の凹溝は前記軸周縁に１８０°ほど形成され、前記連結部の突起部は前記凹溝の一側に嵌合されるよう９０°ほど形成されることを特徴とする請求項１に記載のバスポート接続装置。
【請求項８】
コンピュータ装置のバスポートに付属装置を連結するバスポート接続装置において、
上部面及び下部面を有し、内部に前記付属装置が実装される空間が形成される本体部と、
前記付属装置と電気的に連結され、前記コンピュータ装置のバスポートに挿入されるコネクタと、
回動軸が一側に形成され、他側終端には前記コネクタが装着される連結部と、
前記連結部の回動軸を支持する支持手段を有し、前記本体部と一体形成される固定部と、
前記連結部の位置を固定できるよう前記回動軸に密着して前記固定部に位置する弾性手段と、
を含むことを特徴とするバスポート接続装置。
【請求項９】
前記回動軸の一部は少なくとも四つ以上の角を有する多角柱形状であることを特徴とする請求項８に記載のバスポート接続装置。
【請求項１０】
前記弾性手段はＵ字形のスプリングであることを特徴とする請求項８に記載のバスポート接続装置。
【請求項１１】
前記連結部は内部に前記コネクタと前記付属装置を連結する電線が通過できる貫通孔が形成されることを特徴とする請求項８に記載のバスポート接続装置。
【請求項１２】
前記連結部が回動軸により１８０°以上回動しないよう前記回動軸の一側には方形バー（ｂａｒ）状のストッパーが突出形成され、前記固定部の内側には前記ストッパーと嵌合する溝が回動軸周縁に１８０°ほど形成されることを特徴とする請求項８に記載のバスポート接続装置。
【請求項１３】
コンピュータ装置のバスポートに付属装置を連結するバスポート接続装置において、
上部面及び下部面を有し、内部に前記付属装置が実装され得る空間が形成される本体部と、
前記本体部の側面隅に隣接形成され、前記側面隅の中心に対して垂直に突出するヒンジ軸を有するヒンジ部と、
前記付属装置と電気的に連結され、前記コンピュータ装置のバスポートに挿入されるコネクタと、
一側終端に前記ヒンジ軸に挿入される円筒形のフレームが形成され、他側終端には前記コネクタが装着される連結部と、
前記連結部の位置を固定できるよう前記ヒンジ軸に密着して前記円筒形のフレームに位置する弾性手段と、
を含むことを特徴とするバスポート接続装置。
【請求項１４】
前記ヒンジ軸の一部は少なくとも四つ以上の角を有する多角柱形状であることを特徴とする請求項１３に記載のバスポート接続装置。
【請求項１５】
前記弾性手段はＵ字形のスプリングであることを特徴とする請求項１３に記載のバスポート接続装置。
【請求項１６】
前記連結部のフレームは内側に突出した円形突出部を設け、前記円形突出部の上部は前記スプリングの両終端が位置され得るよう切欠され、前記円形突出部は前記スプリングが四角柱状の前記ヒンジ軸の対角線の長さほど伸ばされるよう切欠されることを特徴とする請求項１３に記載のバスポート接続装置。
【請求項１７】
前記連結部は内部に前記コネクタと前記付属装置とを連結する電線が通過され得る貫通孔を形成し、前記連結部のフレームは一側が開放されることを特徴とする請求項１３に記載のバスポート接続装置。
【請求項１８】
一側面に前記電線が通過され得るよう下部の開放された穴が形成され、前記連結部のフレームを囲繞する円筒形のガイドカバーをさらに含むことを特徴とする請求項１３に記載のバスポート接続装置。
【発明の詳細な説明】
【０００１】
【発明の属する技術分野】
本発明はバスポート（ＢＵＳ　ＰＯＲＴ）接続装置に関するもので、より詳しくはパーソナルコンピュータ、ノート型コンピュータ、またはＰＤＡ（Ｐｅｒｓｏｎａｌ　Ｄｉｇｉｔａｌ　Ａｓｓｉｓｔａｎｔ）などのＵＳＢポートに挿入される付属装置が他の連結ポートと干渉を起こさずに連結され得るようにする接続装置に関するものである。
【０００２】
【従来の技術】
前記ＵＳＢ（ＵＮＩＶＥＲＳＡＬ　ＳＥＲＩＡＬ　ＢＵＳ）インターフェース（ｉｎｔｅｒｆａｃｅ）は最近になって最も脚光を浴びている連結方式である。これはパーソナルコンピュータ、ノート型コンピュータ、またはＰＤＡ（Ｐｅｒｓｏｎａｌ　Ｄｉｇｉｔａｌ　Ａｓｓｉｓｔａｎｔ）などのＵＳＢポートにメモリースティックまたは無線ランカードなどの付属装置を挿入連結させる端子またはプラグ、コネクタなどのことをいう。従来に比べて現在のパーソナルコンピュータなどは多様な応用プログラムの開発に伴って電話、モデム、プリンタ、マイク、スピーカ、マウス、スキャナなど多くのＵＳＢ装置の連結を必要とするにつれて、該ＵＳＢ装置と本体とを結合すべくより便利で機能の優れたＵＳＢインターフェースが用いられ、これはＵＳＢ装置を連結し易く、ホットプラグ機能と完璧なプラグアンドプレイ（Ｐｌｕｇ　ａｎｄ　Ｐｌａｙ）能力を備えＵＳＢ装置を交換する際にコンピュータを再ブートさせずに作動可能な利点を奏する。
【０００３】
かかる結合のために従来はケーブル形態のＵＳＢインターフェースを使っていたが、最近は製品の軽薄短小化によりケーブル無しで直接連結する場合が多くなってきている。図１０（Ａ）及び１０（Ｂ）は最近使用されるＵＳＢインターフェースを用いたＵＳＢ装置の使用例である。図１０（Ａ）はＵＳＢコネクタ４０５が装着されたメモリースティック４００を示し、また図１０（Ｂ）もＵＳＢコネクタ４２５が結合された無線ランカード４２０の例を示す。
【０００４】
前記のような構造のメモリースティック４００及び無線ランカード４２０は、例えばノート型コンピュータに装着される場合、図１１のような構造となる。図１１によると、ＵＳＢポート周辺の他端子、即ちフロッピー（登録商標）ディスクドライブの挿入口または他ＵＳＢ端子などを塞ぐことになる。
【０００５】
さらに、前記のような従来のＵＳＢ装置を図１２のようにデスクトップ型コンピュータ６００に用いる場合も、同じく背面の諸ポート、即ち他ＵＳＢ端子６１５、プリンタ端子６０２、モニター端子６０４、キーボード端子６２０及びマウス端子６２２などと干渉を起こし他端子を使用できないかＵＳＢポート６１２を使用できなくなる問題があった。
【０００６】
従って、本発明はこうしたＵＳＢインターフェースを用いる装置を各々Ｘ軸及びＹ軸方向に一定角度で、とりわけ９０度または１８０度回動させ得る構造を提供するものである。
【０００７】
【発明が解決しようとする課題】
本発明は、このような従来の課題に鑑みてなされたものであり、その目的は、コンピュータ装置のバスポートに連結される連結部と付属装置が実装される本体部とが互いに一定角度で回動できるようにし周辺の他ポートや付属装置と干渉を起こさないように設置可能なバスポート接続装置を提供することにある。
【０００８】
本発明の他の目的は、バスポートに接続する付属装置の位置を調節でき付属装置が最適性能を発揮できるようにするバスポート接続装置を提供することにある。
【０００９】
【課題を解決するための手段】
前記のような目的を成し遂げるための構成手段として、本発明はコンピュータ装置のバスポートに付属装置を連結するバスポート接続装置において、上部面及び下部面を有し、内部に前記付属装置が実装され得る空間が形成される本体部；前記本体部の側面隅に隣接形成され、その中心に垂直に突出するヒンジ軸を有するヒンジ部；前記付属装置と電気的に連結され、前記コンピュータ装置のバスポートに挿入されるコネクタ；前記ヒンジ軸に挿入される円筒形のフレーム；前記フレームの一側から前記本体部と同平面内に延びるガイド軸；前記ガイド軸の一部の外周面の周縁に形成される凹溝；一側終端内部に前記ガイド軸の凹溝に嵌まる突起部が形成され、他側終端には前記コネクタが装着される連結部；及び前記ガイド軸及び連結部の位置を固定すべく前記ヒンジ軸及び前記ガイド軸に密着して前記フレーム及び前記連結部内に位置する弾性手段；を含むバスポート接続装置を提供する。前記ヒンジ軸及びガイド軸の一部分は少なくとも四つ以上の角を有する多角柱形状であることを要旨とする。前記弾性手段はＵ字形のスプリングであることを要旨とする。前記ガイド軸のフレームは内側に突出した円形突出部を設け、前記円形突出部の上部は前記スプリングの両終端が位置され得るよう切欠され、前記円形突出部は前記スプリングが四角柱状の前記ヒンジ軸の対角線の長さほど伸ばされるよう切欠されることを要旨とする。前記ガイド軸は内部に前記コネクタと前記付属装置とを連結する電線が通過され得る貫通孔を形成し、前記フレームはガイド軸の反対側が開放されることを要旨とする。一側面に前記電線が通過され得るよう下部の開放された穴が形成され、前記フレームを囲繞する円筒形のガイドカバーをさらに含むことを要旨とする。前記ガイド軸の凹溝は前記軸周縁に１８０°ほど形成され、前記連結部の突起部は前記凹溝の一側に嵌合されるよう９０°ほど形成されることを要旨とする。
【００１０】
さらに、本発明はコンピュータ装置のバスポートに付属装置を連結するバスポート接続装置において、上部面及び下部面を有し、内部に前記付属装置が実装され得る空間が形成される本体部；前記付属装置と電気的に連結され、前記コンピュータ装置のバスポートに挿入されるコネクタ；回動軸が一側に形成され、他側終端には前記コネクタが装着される連結部；前記連結部の回動軸を支持する支持手段を有し、前記本体部と一体形成される固定部；及び前記連結部の位置を固定できるよう前記回動軸に密着して前記固定部に位置する弾性手段；を含むバスポート接続装置を提供する。前記回動軸の一部は少なくとも四つ以上の角を有する多角柱形状であることを要旨とする。前記弾性手段はＵ字形のスプリングであることを要旨とする。前記連結部は内部に前記コネクタと前記付属装置を連結する電線が通過できる貫通孔が形成されることを要旨とする。前記連結部が回動軸により１８０°以上回動しないよう前記回動軸の一側には方形バー（ｂａｒ）形状のストッパーが突出形成され、前記固定部の内側には前記ストッパーと嵌合する溝が回動軸周縁に１８０°ほど形成されることを要旨とする。
【００１１】
さらに、本発明はコンピュータ装置のバスポートに付属装置を連結するバスポート接続装置において、上部面及び下部面を有し、内部に前記付属装置が実装され得る空間が形成される本体部；前記本体部の側面隅に隣接形成され、その中心に垂直に突出するヒンジ軸を有するヒンジ部；前記付属装置と電気的に連結され、前記コンピュータ装置のバスポートに挿入されるコネクタ；一側終端に前記ヒンジ軸に挿入される円筒形のフレームが形成され、他側終端には前記コネクタが装着される連結部；及び前記連結部の位置を固定すべく前記ヒンジ軸に密着して前記円筒形のフレームに位置する弾性手段；を含むバスポート接続装置を提供する。前記ヒンジ軸の一部は少なくとも四つ以上の角を有する多角柱形状であることを要旨とする。前記弾性手段はＵ字形のスプリングであることを要旨とする。前記連結部のフレームは内側に突出した円形突出部を設け、前記円形突出部の上部は前記スプリングの両終端が位置され得るよう切欠され、前記円形突出部は前記スプリングが四角柱状の前記ヒンジ軸の対角線の長さほど伸ばされるよう切欠されることを要旨とする。前記連結部は内部に前記コネクタと前記付属装置とを連結する電線が通過され得る貫通孔を形成し、前記連結部のフレームは一側が開放されることを要旨とする。一側面に前記電線が通過され得るよう下部の開放された穴が形成され、前記連結部のフレームを囲繞する円筒形のガイドカバーをさらに含むことを要旨とする。
【００１２】
【発明の実施の形態】
以下、本発明に係り添付の図面に基づいて実施の形態を詳しく説明する。図１は本発明によるバスポート接続装置の第１実施の形態を示す斜視図、図２は図１のバスポート接続装置の細部組立図、図３は図１のバスポート接続装置の回動部分を詳細に示す斜視図である。
【００１３】
図１によると、本発明によるバスポート接続装置１は、本体部１０、ガイド軸２０、及び連結部３０を含む。本発明による接続装置は、とりわけユニバーサルシリアルバス（ＵＮＩＶＥＲＳＡＬ　ＳＥＲＩＡＬ　ＢＵＳ、以下「ＵＳＢ」という。）ポートに接続するための装置であるが、これに限るわけではない。
【００１４】
図２によると、本体部１０は内部に付属装置１２が実装され得る内部空間が形成される。本体部１０は長い直方形状から成り、二つの長手側面のうち、一方に半円形を形成して突出したヒンジ部１４を有する。前記ヒンジ部１４は本体部１０の上部面と下部面に平行に突出し、短手側面に近接形成されている。また、前記ヒンジ部１４は中央に垂直に突出したヒンジ軸１６を有する。前記本体部１０は四方に一定厚さの側壁が形成されるが、前記ヒンジ部１４には側壁が形成されず、これはガイド軸２０が円滑に回動できるようにするためである。前記本体部１０は上部と下部とに分離及び組立可能な構造で形成されている。
【００１５】
また、図１、図２及び図３によるとガイド軸２０が前記本体部１０のヒンジ部１４に挿入される。前記ガイド軸２０は長い円筒形の回動軸で、ヒンジ部１４の連結位置に丸い円筒形のフレーム２２が形成されている。前記ガイド軸２０のフレーム２２は前記ヒンジ部１４のヒンジ軸１６に嵌められ前記本体部１０と同じ平面内で回動できるよう構成される。即ち、ガイド軸２０の位置がヒンジ軸１６を中心に０°から約１８０°まで変化することができる。これは後述する図４に詳しく示す。一方、ガイド軸２０の一部の外周面の周縁には窪んだ形状の凹溝２６が形成される。該凹溝２６は連結部３０とガイド軸２０とを連結するための連結手段として作用することになる。
【００１６】
本実施の形態において、前記ヒンジ軸１６は終端が四角柱状１７となっている。また四角柱の各エッジ（ＥＤＧＥ）部分は丸みがかっているが、これはガイド軸の回動（または位置変更）を滑らかにするためである。かかる四角柱状のヒンジ軸１６は前記ガイド軸２０のフレーム２２に挿入され、前記フレーム２２は内部に内周面に沿って円形の貫通孔を形成すべく突出した円形突出部２８を形成する。前記円形突出部２８の上部は後述する弾性手段が位置するよう一部が切欠されることが好ましい。
【００１７】
一方、前記ガイド軸２０は、内部が電線を通過させ得るよう貫通されることが好ましく、また前記ガイド軸２０のフレーム２２は一部が開放されている。即ち、回動軸が付着される方向の反対側に開口部が形成されるが、これは前記ガイド軸２０の貫通部分を経て電線を抜き出し付属装置に連結させるためである。また、ガイドカバー２４が前記ガイド軸２０のフレーム２２に囲まれる。前記ガイドカバー２４は一側に前記フレーム２２から出る電線が通過するよう下部の開放された穴が形成され、前記フレーム２２の外周面を囲むよう形成される。前記穴はフレーム２２の開口部より小さく、これにより電線が安定的に位置され得るようになる。
【００１８】
前記ガイド軸２０に連結される連結部３０は、一側終端内部に前記ガイド軸２０の凹溝２６に嵌まる突起部３４を有する。突起部３４は凹溝２６に嵌合されガイド軸２０を中心に連結部３０が回動され得るようにする。前記凹溝２６は前記ガイド軸の周縁に１８０°ほど形成されることができ、かかる場合、前記連結部３０の突起部３４は内周面の９０°を占めるよう形成され前記凹溝２６に嵌合されることが好ましく、従って、かかる場合に連結部３０はガイド軸２０を中心に９０°回動を行うようになる。
【００１９】
前記ガイド軸２０の終端部は前記ヒンジ軸１６と同じく四角柱状を有する。前記四角柱２１の各隅（またはエッジ（ＥＤＧＥ））は丸みがかって連結部３０の回動を滑らかにする。また、前記連結部３０の他側終端にはＵＳＢポートに挿入されるコネクタ３２が装着される。前記コネクタ３２はガイド軸２０の貫通孔部分を経て本体部１０の付属装置１２と電気的に連結される。前記連結部３０は本体部１０と同じく上・下部の分離及び組立てが可能な構造とされる。
【００２０】
前記ガイド軸２０を本体部１０及び連結部３０と結合し回動させるにあたって、前記ヒンジ軸１６及びガイド軸２０には適切な弾性手段が用いられるべきである。前記弾性手段は、好ましくはＵ字形のスプリング５２、５４である。前記スプリング５２、５４は各々ヒンジ軸１６及びガイド軸２０の四角柱部位に密着して位置するようになる。先ず、前記ヒンジ軸１６の四角柱部位１７に密着するスプリング５２はガイド軸２０のフレーム２２に位置するようになる。前記フレーム２２には先に説明したように円形突出部が形成され、また円形突出部２８はＵ字形スプリング５２が挿入されて固定されるよう切欠されている。この際、前記円形突出部２８は前記スプリングが四角柱状の前記ヒンジ軸１６の対角線の長さ分だけ伸ばされて切欠される。従って、スプリング５２は真中に前記ヒンジ軸１６が挿入され外側は前記フレーム２２の円形突出部２８に接しながら固定される。該スプリング５２は、前記ガイド軸２０がヒンジ軸１６を中心に９０°ずつ回動することを可能にさせる。
【００２１】
前記ヒンジ軸１６のスプリング５２と同様に、ガイド軸２０の四角柱部位２１と当接するスプリング５４はＵ字形で形成され、前記連結部３０の一側内部に固定される。前記スプリング５４を固定すべくスプリング固定突起３６が連結部３０の内部に形成される。この際、前記スプリング固定突起３６は前記スプリングが四角柱状の前記ガイド軸の対角線の長さ分だけ伸ばされるよう内部に間隙が成される。
【００２２】
図４は図１のＵＳＢ接続装置の作動状態を示す斜視図である。前記第１実施の形態を例に挙げて説明する。図４によると、ヒンジ軸１６を中心に連結部を９０°回動させることができる。この際、弾性手段にＵ字形のスプリングを使用し、またヒンジ軸１６に四角柱部分１７を形成した為に前記連結部３０は９０°移動した後に止まるようになる。さらに、かかる状態において再び前記連結部３０をガイド軸２０を中心に９０°回動でき、または前記ヒンジ軸１６を中心に連結部３０をさらに９０°回動させることもできる。連結部３０がヒンジ軸１６を中心に１８０°回動した場合、連結部３０をガイド軸２０を中心に９０°回動させることもできる。この際、ガイド軸２０の四角柱部分２１もまたＵ字形スプリングにより９０°ほど回動可能に構成される。
【００２３】
一方、本発明によるバスポート接続装置の第２実施の形態を詳細に説明すると次のとおりである。図５は本発明によるバスポート接続装置の第２実施の形態を示す斜視図で、図６は図５のバスポート接続装置の回動部分を詳細に示す斜視図である。前記図５及び図６によると、バスポート接続装置は内部に付属装置が収容され得る空間が形成された本体部６０を有する。前記本体部６０は上部面と下部面とが形成され直方形の形態となる。前記本体部６０の長手側面のうち、一つには前記側面から水平に突出する固定部６１を有する。前記固定部６１の内部には円形の回動軸７５が支持され得るよう円形の支持部６３が形成されている。前記本体部６０は上部及び下部に分離可能な構造とされる。
【００２４】
前記本体部６０の固定部６１には回動軸７５が一側に形成された連結部７０が挿入される。前記連結部７０は、一側には回動軸７５が形成され、他側にはバスポート、とりわけＵＳＢポートに挿入されるコネクタ７２が装着される。前記連結部７０は、上部と下部とに分離可能な組立構造とされ、内部には前記コネクタ７２と付属装置６４とを電気的に連結する電線７３が通過できるよう空間が形成される。従って、前記連結部７０の回動軸７５は内部の空いた中空軸となる。前記連結部７０の回動軸７５は四角柱部分７４を有する。四角柱部分７４は前記回動軸７５の一部に形成され、四角隅部分が丸みがかって整えられた構造となる。また、前記四角柱部分７４に隣接して弾性手段が密着位置され、前記弾性手段は好ましくはＵ字形スプリング８０である。前記Ｕ字形スプリング８０は上部と下部とが同じ方向に垂直に折り曲げられ上部と下部とが平行に向き合うよう形成されることができ、上部と下部との間に弾性力が発生され得る構造とされることができる。
【００２５】
前記スプリング８０は固定部６１に形成されるスプリング固定突起８２によりその位置が固定される。前記スプリング固定突起８２は図示のようにＵ字形の突出壁として、スプリング８０の上下部折り曲げ部分がその外壁に密着しスプリングの弾性力により固定突起に密着することができる。また、前記スプリング固定突起８２はスプリングの一側が係合すべく突出した通常の構造として一対の固定溝に形成されることもできる。この際、前記スプリング固定突起８２は、前記スプリングが四角柱状の前記ガイド軸の対角線の長さ分だけ伸ばされるよう内部に間隙が形成されるようになる。
【００２６】
前記連結部７０が回動軸７５により１８０°以上回動しないよう前記回動軸の一側にはストッパー７６を形成することができる。前記ストッパー７６は方形のバー（ｂａｒ）状となり、前記固定部６１の内側に前記ストッパーが挿入され得る溝７７を１８０°ほど内周面の周縁に形成することができる。かかる構造により前記連結部７０が１８０°以上回動しないよう制限することができる。かかるＵＳＢ接続装置の第２実施の形態は前記第１実施の形態と異なり本体部６０が連結部７０の回動軸を中心に回動できるよう構成される。
【００２７】
前記第１及び第２実施の形態において前記本体部１０、６０とＵＳＢコネクタ３２、７２との位置関係は、前記コネクタが本体部に密着した状態から見ると、本体部より突出することができ、または本体部がコネクタより突出するよう形成されることもできる。これはＵＳＢポートの形態に応じて異なるものであるが、ＵＳＢポートが突出したコンピュータに前記接続装置を使用するためには本体部より突出してはならない。反対に、ＵＳＢポートが凹んで形成された場合はコネクタが本体部より突出しなければならない。
【００２８】
前記実施の形態において９０度ずつ回動可能にした構成は多様に変更することができる。即ち、四角柱状を八角柱形状にすれば２２．５度、４５度、６７．５度の順で回動角度を形成できる。このように多角形の柱形状を用いて多様な角度単位で回動させることが可能である。
【００２９】
前記第２実施の形態においては、本体部が連結部の回動軸を中心に１８０°まで回動可能になっており、このように一つの回動軸を有する点で前記第１実施の形態と区別される。　本実施の形態においては前記連結部がガイド軸を中心に９０°を超えて回動しないよう先に説明したようにストッパーを形成することができる。
【００３０】
図７は本発明によるバスポート接続装置の第３実施の形態を示す分解斜視図である。本実施の形態においては前記第１実施の形態のような構造の本体部１０を使用するが、連結部９０が単にヒンジ軸１６を中心に回動できるよう構成される点が第１実施の形態と異なる。従って、本実施の形態において本体部１０は第１実施の形態と同様ヒンジ部１４、ヒンジ軸１６、前記ヒンジ軸１６に形成される四角柱部分１７などを含む。
【００３１】
本実施の形態において連結部９０には、一側終端に前記ヒンジ軸１６に挿入される円筒形のフレーム９２が形成され、他側終端にはバスポート、とりわけＵＳＢポートに挿入されるコネクタ９１が装着される。前記連結部９０は上下に分離できる構造とされるが、図面には下部部分のみ示す。連結部９０の内部は前記コネクタ９１と本体部１０に実装される付属装置基板１２を電気的に連結する電線（図示せず）が通過され得るよう空間が形成されている。
【００３２】
連結部のフレーム９２の構造及びその内部に位置する弾性手段であるＵ字形スプリング９５、ヒンジ軸１６の構造及び結合状態は第１実施の形態と同じである。また前記連結部のフレーム９２を囲繞するガイドカバー９４もまた前記第１実施の形態において説明したとおりである。従って、繰り返し説明することは省略する。このような第３実施の形態によると、前記連結部９０のコネクタ９１をコンピュータ装置（図示せず）のＵＳＢポートに挿入するにあたって本体部１０が他端子と干渉する場合、本体部１０をヒンジ軸１６を中心に連結部９０と同平面内で９０度ずつ回動することができるようになる。前記実施の形態において回動角度を９０度で構成したが、ヒンジ軸１６の四角柱状を六角柱またはその他の多角柱形状とすれば異なる角度単位で回動させられることは当業者ならば充分理解できるであろう。
【００３３】
図８は本発明によるバスポート接続装置をノート型コンピュータのＵＳＢポートに連結した状態を示す斜視図で、図９は本発明によるバスポート接続装置をデスクトップ型コンピュータのＵＳＢポートに連結した状態を示す斜視図である。本発明によるバスポート接続装置をノート型コンピュータ２００に連結する場合、他ＵＳＢ端子２０７またはフロッピー（登録商標）ディスク２０２など諸周辺機器との干渉を起こさずに位置するよう接続装置１を調整することができる。この際、接続装置は前記第２実施の形態による接続装置を用いる。従って、図７のように９０°または１８０°回動させ周辺ポートや諸装置と干渉を引き起こさない位置に連結できるようになる。
【００３４】
図９は本発明の第１実施の形態によるバスポート接続装置をデスクトップ型コンピュータ３００に挿入した状態を示す。この場合、やはり周辺の他端子３０２、３１５、３２２と干渉を起こさないよう接続装置１の位置を調整して装着することができる。
【００３５】
前記図８及び図９において、若しもバスポート接続装置に内蔵される付属装置が無線ランカードであるなら、本発明の構造を用いる場合の最適性能を示せる位置に本体部を位置させることができる。一般にアンテナは倒す場合より立たせる方が特性を良くするので本体部を立たせて性能を向上させられるのである。
【００３６】
本発明は特定の実施の形態に係り図示説明したが、前述の特許請求の範囲により具備される本発明の精神や分野を外れない限度内において本発明が多様に改造及び変化され得ることは当業界において通常の知識を有する者にとっては容易に想到し得ることを明かしておく。
【００３７】
【発明の効果】
以上のように本発明によると、バスポートに連結する連結部と付属装置の実装される本体部とが相互一定角度で回動され得るようになり周辺の他ポートや付属装置と干渉を起こさなくなる効果を奏する。さらに、本発明による接続装置を構成するガイド軸、ヒンジ軸及び回動軸の一部を多角形柱、好ましくは四角形柱に形成し、その部分に弾性手段を密着位置させ、一定角度ずつ回動させられる効果を奏する。さらに、本発明による接続装置は弾性手段にＵ字形のスプリングを用い、フレーム及び固定部の内側に位置させ、簡単で且つ密着力に優れて位置がしっかり固定されるようにすることができる。さらに、本発明による接続装置はコネクタと付属装置を電気的に連結する電線が通過できるようガイド軸、連結部及びフレームを形成して、回動しても電気的な連結を維持し続けて短絡しない構造を提供することができる。さらに、本発明による接続装置は本体部の位置を調節することにより付属装置が最適の性能を発揮できるよう位置させられる効果も奏する。
【図面の簡単な説明】
【図１】本発明によるバスポート接続装置の第１実施の形態を示す斜視図である。
【図２】図１のバスポート接続装置における細部組立図である。
【図３】図１のバスポート接続装置における回動部分を詳細に示す斜視図である。
【図４】図１のバスポート接続装置における作動状態を示す斜視図である。
【図５】本発明によるバスポート接続装置の第２実施の形態を示す斜視図である。
【図６】図５のバスポート接続装置における回動部分を詳細に示す斜視図である。
【図７】本発明によるバスポート接続装置の第３実施の形態を示す斜視図である。
【図８】本発明によるバスポート接続装置をノート型コンピュータに連結した状態を示す斜視図である。
【図９】本発明によるバスポート接続装置をデスクトップ型コンピュータに連結した状態を示す斜視図である。
【図１０】（Ａ）及び（Ｂ）は従来のＵＳＢ付属装置であるメモリースティックと無線ランカードを各々示すものである。
【図１１】従来のＵＳＢ付属装置をノート型コンピュータに連結した状態を示す斜視図である。
【図１２】従来のＵＳＢ付属装置をデスクトップ型コンピュータに連結した状態を示す斜視図である。
【符号の説明】
１　接続装置
１０、６０　本体部
１４　ヒンジ部
１６　ヒンジ軸
２０　ガイド軸
２２　フレーム
２４　ガイドカバー
３０　連結部
３２　コネクタ
５２、５４　Ｕ字形スプリング
【図１】
2004063440.tif 000003
【図２】
2004063440.tif 000004
【図３】
2004063440.tif 000005
【図４】
2004063440.tif 000006
【図５】
2004063440.tif 000007
【図６】
2004063440.tif 000008
【図７】
2004063440.tif 000009
【図８】
2004063440.tif 000010
【図９】
2004063440.tif 000011
【図１０】
2004063440.tif 000012
【図１１】
2004063440.tif 000013
【図１２】
2004063440.tif 000014